(57)【要約】      （修正有）【課題】カメラアクセサリの着脱を検知する手段を備えることで外部サーバーから自動で撮像補助情報を取得することを可能にし、さらにカメラアクセサリに撮像補助情報を記憶する手段を備えることで撮像補助情報の取得時間の削減を可能とした撮像装置と撮像システムを提供する。【解決手段】撮像手段と、サーバーと通信する通信手段と、通信手段を介して撮像装置の仕様情報等のカメラパラメータをサーバーに送信しサーバーから撮像補助情報を取得する取得手段と、カメラアクセサリ交換を検知する検知手段と、カメラアクセサリ交換時にカメラパラメータを更新する更新手段と、カメラパラメータの更新時に更新されたカメラパラメータを基に、サーバーから新たな撮像補助情報を自動で取得する自動取得手段と、を備える。【選択図】図２
2016025482.tif 000002
【特許請求の範囲】
【請求項１】
撮像手段と、
サーバーと通信する通信手段と、
前記通信手段を介して撮像装置の仕様情報等のカメラパラメータをサーバーに送信しサーバーから撮像補助情報を取得する取得手段と、
を備える撮像装置において、
カメラアクセサリ交換を検知する検知手段と、
カメラアクセサリ交換時にカメラパラメータを更新する更新手段と、
カメラパラメータの更新時に更新されたカメラパラメータを基に、前記サーバーから新たな撮像補助情報を自動で取得する自動取得手段と、
を備えることを特徴とする撮像装置。
【請求項２】
撮像装置と着脱可能なカメラアクセサリと、
撮像手段と、
サーバーと通信する通信手段と、
前記通信手段を介して撮像装置の仕様情報等のカメラパラメータをサーバーに送信しサーバーから撮像補助情報を取得する取得手段と、
を備える撮像装置において、
前記カメラアクセサリは、該撮像装置が保持している撮像補助情報を記録する記録手段を備え、
前記撮像装置は、
カメラアクセサリ交換を検知する検知手段と、
カメラアクセサリ交換を検知したら前記交換レンズに撮像補助情報を退避させる退避手段と、
カメラパラメータの更新時に更新されたカメラパラメータを基に、前記サーバーから新たな撮像補助情報を自動で取得する自動取得手段と、
を備えることを特徴とする撮像装置。
【請求項３】
装着されたカメラアクセサリがマクロレンズの場合、サーバーから取得する撮像補助情報はマクロ撮影を補助する情報であることを特徴とする請求項１又は請求項２に記載の撮像装置。
【請求項４】
装着されたカメラアクセサリがストロボの場合、サーバーから取得する撮影補助情報はストロボ撮影を補助する情報であることを特徴とする請求項１又は請求項２に記載の撮像装置。
【請求項５】
前記カメラパラメータは、撮像装置の型番情報や撮像装置に装着されるレンズやストロボ等のカメラアクセサリに関する情報と言った撮像装置の仕様を示す情報以外に、測光情報、測距情報、測色情報、感度、シャッタースピード、絞り値、ブレ量、撮像装置の位置情報、撮像装置の撮像方位、撮像装置の煽り角、日時、天候に関する情報であることを特徴とする請求項１又は請求項２に記載の撮像装置。
【請求項６】
前記撮像補助情報は、露出、シャッタースピード、画角、ズームレンズ倍率、撮像装置の感度、撮像装置の備える撮像モード情報、構図情報であることを特徴とする請求項１乃至請求項４の何れか一項に記載の撮像装置。
【発明の詳細な説明】
【技術分野】
【０００１】
本発明は、撮像装置に関し、特に撮像対象に対しての撮像補助情報をネットワークを介しサーバーから取得する機能を有する撮像装置に関するものである。
【背景技術】
【０００２】
従来のデジタルカメラでは、ポートレート、風景、夜景等の複数の撮影モードが設けられており、ユーザーは被写体に対応する撮影モードを予め選択しておくことにより、シャッタースピード、絞り値等の撮影条件を被写体に適したものに簡単に設定できるものが多い。
【０００３】
特許文献１では撮影位置を表す位置情報をＧＰＳ情報から取得しその位置での撮像補助情報として構図を撮像装置背面に備えたＬＣＤ画面に表示することで推奨とされる構図での撮影を行うことが開示されている。特許文献２ではユーザーが新たな被写体を撮影するために何らかの撮影パラメータを変更したり、レンズを新たな被写体に向けることで自動的に撮影パラメータが変更された場合に、カメラ背面のＬＣＤ画面に複数の撮影シーンの見本を表示することが開示されている。
【先行技術文献】
【特許文献】
【０００４】
【特許文献１】特開２００２−０１０１１４号公報
【特許文献２】特開２００６−１８６６９５号公報
【発明の概要】
【発明が解決しようとする課題】
【０００５】
しかしながら、上述の特許文献に開示された従来技術では、予め撮影補助情報を書き換え可能なフラッシュメモリ等に記憶しておかなければならず、時撮影被写体が々刻々と変換する場合に最も好ましい撮像補助情報を取得することができない。さらに上述の特許文献に開示された従来技術では、ユーザー操作に応じて自動で撮影補助情報を保存・破棄・自動取得ができない。
【０００６】
そこで、本発明の目的は、カメラアクセサリの着脱を検知する手段を備えることで外部サーバーから自動で撮像補助情報を取得することを可能にした撮像装置と撮像システムを提供することである。さらに、カメラアクセサリに撮像補助情報を記憶する手段を備えることで撮像補助情報の取得時間の削減を可能とした撮像装置を提供することである。
【課題を解決するための手段】
【０００７】
上記目的を達成するために、本発明に係る撮像装置は、撮像手段と、前記撮像手段で撮像した被写体や、撮像補助情報を表示する表示手段と、サーバーと通信する通信手段と、前記通信手段を介して撮像装置の仕様情報等のカメラパラメータをサーバーに送信しサーバーから撮像補助情報を取得する取得手段と、を備える撮像装置において、カメラアクセサリ交換を検知する検知手段と、カメラアクセサリ交換時にカメラパラメータを更新する更新手段と、カメラパラメータの更新時に更新されたカメラパラメータを基に、前記サーバーから新たな撮像補助情報を自動で取得する自動取得手段と、を備えることを特徴とする。
【発明の効果】
【０００８】
本発明によれば、撮像被写体に最も好ましい撮像補助情報をユーザーの操作に伴って自動取得が可能となる。
【図面の簡単な説明】
【０００９】
【図１】概略説明図
【図２】システム構成図
【図３】構図表示例
【図４】（ａ）はデジタルカメラ１００のフローチャート、（ｂ）はサーバー４００のフローチャート
【図５】システム構成図
【図６】フローチャート
【図７】撮像補助情報マトリックス図
【発明を実施するための形態】
【００１０】
以下に、本発明の好ましい実施の形態を、添付の図面に基づいて詳細に説明する。
【００１１】
（実施例１）
図１は本発明の実施形態の概略説明図である。図１ではデジタルカメラ１００が後述するサーバー４００へ、カメラ情報（ＧＰＳ情報、カメラ本体情報、装着しているレンズやストロボの情報等）を送信し、それらの情報を基にサーバー４００が選んだ撮像補助情報をＬＣＤに表示している例である。
【００１２】
以下、図２を参照して本発明の第1の実施例による画像撮像装置としてのデジタルカメラ１００、無線ＬＡＮアクセスポイント２００、ＧＰＳ衛星３００、サーバー４００について説明する。図２よりデジタルカメラ１００は、ＣＭＯＳセンサー１０１、操作パネル１０２、無線ＬＡＮ１０３、ＧＰＳセンサー１０４、電子コンパス１０５、撮像レンズ装着部１０６、ＬＣＤ表示部１０７、内部バス１０８、ＣＰＵ１０９、ジャイロセンサー１１０、距離テーブル１１１、ＥＥＰＲＯＭ１１２を備える。
【００１３】
次に上述したデジタルカメラ１００を構成する各々について説明する。ＣＭＯＳセンサー１０１は、光信号を電気信号に変換し、内部バス１０８を介してＣＰＵ１０９へ撮像映像を送信する。
【００１４】
操作パネル１０２は、ユーザーの操作を受けＣＰＵ１０９へ制御信号を送る。ユーザーの操作としては、撮像被写体への焦点制御やズーム等のレンズ制御、露光制御やホワイトバランス制御等がある。
【００１５】
無線ＬＡＮ１０３は、サーバー４００とネットワークを介して通信するために無線ＬＡＮアクセスポイント２００と通信する。ＧＰＳセンサー１０４は、ＧＰＳ衛星３００と通信しカメラ本体の位置情報を取得し、内部バス１０８を介してＣＰＵ１０９へ位置情報を送信する。
【００１６】
電子コンパス１０５は、カメラ本体の方位を検知し、内部バス１０８を介してＣＰＵ１０９へ方位情報を送信する。
【００１７】
撮像レンズ装着部１０６は、カメラ本体に装着可能な交換式レンズの脱着部であり、ユーザーによる脱着を検知し内部バス１０８を介してＣＰＵ１０９へ脱着検知情報を送信する。さらに、装着された交換式レンズからレンズ情報を読み出す通信ＩＦを備えており、読み出したレンズ情報を内部バス１０８を介してＣＰＵ１０９へ送信する。
【００１８】
ＬＣＤ表示部１０７は、ＣＭＯＳセンサー１０１からＣＰＵ１０９へ送信された撮像映像や、サーバー４００から受信した後述する撮像補助情報、撮像レンズ装着部１０６に装着されたレンズ情報やカメラ本体に設定されている露出やシャッタースピード、ＩＳＯ感度情報等を表示する。
【００１９】
内部バス１０８は、デジタルカメラ１００の内部バスで、撮像映像や制御信号、各種情報を送受信するための汎用バスである。
【００２０】
ジャイロセンサー１１０は、カメラ本体の煽り角を算出し、内部バス１０８を介してＣＰＵ１０９へ煽り角情報を送信する。
【００２１】
距離テーブル１１１は、撮像レンズ装着部１０６に装着したレンズにおいて、そのレンズが合焦した際の焦点距離から撮像被写体までの距離を変換するためのテーブルである。ＥＥＰＲＯＭ１１２は書き換え可能なフラッシュメモリであり、カメラ本体の仕様情報や型番情報、撮像レンズ装着部１０６に装着されている交換式レンズ情報が保存されており、レンズ交換が発生した際には新しいレンズ情報が保存される。外部メモリＩＦ１１３は、撮像データを保存する着脱可能な外付けメモリとのＩＦである。
【００２２】
次にＣＰＵ１０９について説明する。ＣＰＵ１０９は、内部にＣＰＵ本体の駆動プログラムを記憶するＲＯＭと作業メモリとしてのＲＡＭを備えるワンチップＣＰＵである。ＣＰＵ１０９は、ＣＭＯＳセンサー１０１から受信した撮像映像のコントラスト処理や拡大縮小処理等の画像処理回路を備える。
【００２３】
ＣＰＵ１０９は、ＣＭＯＳセンサー１０１から受信した撮像映像を解析し、撮像レンズ装着部１０６に装着した交換式レンズへ合焦するためのレンズ制御信号を送信する。ＣＰＵ１０９は、操作パネル１０２からユーザー操作を受ける。ＣＰＵ１０９は、撮像レンズ装着部１０６に装着した交換式レンズから焦点距離情報を取得し、その情報と距離テーブル１１１より撮像被写体までの距離を算出する。
【００２４】
ＣＰＵ１０９は、ＬＣＤ表示部１０７を駆動制御するドライバ回路を備える。ＣＰＵ１０９は、ＧＰＳセンサー１０４からの位置情報、電子コンパス１０５からの方位情報、距離テーブル１１１からの撮像被写体までの距離情報、ジャイロセンサー１１０からの煽り角情報、撮像レンズ装着部１０６に装着した交換式レンズの情報を扱う。ＣＰＵ１０９は、無線ＬＡＮ１０３、無線ＬＡＮアクセスポイント２００を介してサーバー４００と通信する。
【００２５】
ＣＰＵ１０９は、カメラ本体の位置情報・方位情報・撮像被写体までの距離情報・カメラ本体型番やＣＭＯＳセンサーのサイズ等のカメラ本体情報・撮像レンズ装着部１０６に装着した交換式レンズ情報をサーバー４００に送信し、後述する撮像補助情報を受信する。ＣＰＵ１０９は、外付けメモリＩＦ１１３に装着された外付けメモリに撮像データを保存する。
【００２６】
次に無線ＬＡＮアクセスポイント２００、ＧＰＳ衛星３００、サーバー４００について説明する。本実施例では、無線ＬＡＮアクセスポイント２００と通信するのはデジタルカメラ１００だけであったが、ＰＣやＰＤＡ等とも通信する。ＧＰＳ衛星３００はＧＰＳセンサー１０４と通信し、デジタルカメラ１００はＧＰＳ衛星との通信から位置を測定する。
【００２７】
サーバー４００は地図情報と、地図上の各地点において、測光情報、測距情報、カメラ感度、シャッタースピード、絞り値、ブレ量、撮像方位、カメラの仕様情報や型番情報、交換式レンズ情報、カメラの煽り角、日時、天候で関連付けられた撮像補助情報を備えている。図７はその一例である。図７を見ると、地点Ａ、地点Ｂそれぞれにおいて、カメラの型番情報、交換式レンズ情報、方位、時刻での撮像補助情報がそれぞれ関連付けられている。
【００２８】
例えば、デジタルカメラ１００から撮影位置：地点Ｂ、カメラ型番＝ＬＡＭＥＸ−９、装着されている交換式レンズ型番＝レンズ１（３５ｍｍ）、方位＝南、時刻＝１４時という情報がサーバー４００へ送信された場合、該当する撮像補助情報は「花畑７」である。
サーバー４００はこの「花畑７」という撮像補助情報をデジタルカメラ１００に送信する。
【００２９】
デジタルカメラ１００はこの情報を受信してＬＣＤ表示部１０７には構図も表示し、カメラの各種パラメータも自動で設定する。図３はＬＣＤに構図が表示された様子を示している。この撮像補助情報には、撮影時の構図の他にも、露出、カメラのシャッタースピード、画角、ズームレンズ倍率、カメラの感度、カメラの備える撮像モード等、カメラ本体の各種設定値が含まれている。なお、「×」が表記されている欄は該当する撮像補助情報がないことを示している。
【００３０】
次に撮像レンズ装着部１０６と接続する交換式レンズ５００について説明する。交換式レンズ５００は、レンズ群５０１、レンズ情報記録用ＲＯＭ５０２、通信ＩＦ（スレーブ側）５０３、内部バス５０４、マイクロＣＰＵ５０５を備える。レンズ群５０１は蛍石等を原材料とするレンズのレンズ群であり、制御モーター等を備えている。
【００３１】
レンズ情報記録用ＲＯＭ５０２は、レンズのＦ値やズーム倍率等のレンズ本体の情報を記録している。
【００３２】
通信ＩＦ（スレーブ側）５０３は、デジタルカメラ１００の撮像レンズ装着部１０６との接続部にあり、デジタルカメラ１００と通信するＩＦである。
【００３３】
内部バス５０４は通信ＩＦ（スレーブ側）５０３を介してデジタルカメラ１００と送受信するデータとマイクロＣＰＵ５０５からレンズ群への制御データを送受信するための汎用バスである。
【００３４】
マイクロＣＰＵ５０５は通信ＩＦ（スレーブ側）５０３を介してデジタルカメラ１００から送受信するデータを受けてレンズ群５０１を制御するためのＣＰＵである。
【００３５】
次に図４のフローチャートを用いて実施例１のシーケンスを説明する。図４（ａ）、図４（ｂ）はそれぞれデジタルカメラ１００、サーバー４００の制御フローであり、デジタルカメラ１００から送られたカメラ情報をもとにサーバー４００が撮像補助情報を検索し、デジタルカメラ側で該情報を受ける際の制御フローである。
【００３６】
ＣＰＵ１０９は、サーバー４００から既に受信している撮像補助情報をＲＡＭに保持し続けて、図３に示すような撮像補助情報をＬＣＤ表示部１０７に表示する（Ｓ１０１）。同時にＣＰＵ１０９は撮像レンズ装着部１０６からの交換式レンズの着脱検知情報から、交換式レンズの交換が発生したかどうかを監視し続ける（Ｓ１０２）。
【００３７】
ユーザーが撮像レンズ装着部から交換式レンズを取外し新たな交換式レンズを装着した時、ＣＰＵ１０９は撮像レンズ装着部１０６からの脱着情報をもとに交換式レンズの交換を検知する（Ｓ１０３）。ここで交換が発生しない場合は、ＣＰＵ１０９はサーバー４００からすでに受信している撮像補助情報を内部に備えるＲＡＭに保持し続ける（Ｓ１０１）。
【００３８】
Ｓ１０３でＣＰＵ１０９は交換式レンズの交換を検知した場合、新しく装着された交換式レンズのレンズ情報をレンズ本体から読出しＥＥＰＲＯＭ１１２に保存する（Ｓ１０４）。ＣＰＵ１０９は保存後、デジタルカメラ１００の備える各種センサーから各種情報を取得し、さらに撮像レンズ装着部１０６に装着されている交換式レンズ情報とカメラ本体情報をＥＥＰＲＯＭ１１２から取得する（Ｓ１０５）。
【００３９】
次にＣＰＵ１０９は、取得したセンサー情報とカメラ情報、交換式レンズ情報をサーバー４００へ送信する（Ｓ１０６）。
【００４０】
サーバー４００はＳ１０４で送信された情報を受信し（Ｓ２０１）、それらの情報を基に内部データベースから適切な撮像補助情報を検索する（Ｓ２０２）。上で説明したように例えば表１のようなデータベースを備えており、その中から受信した情報を基に撮像補助情報を検索する。サーバー４００は、検索した後にその撮像情報をデジタルカメラ１００に送信する（Ｓ２０３）。
【００４１】
次にＣＰＵ１０９は、サーバー４００から交換された新しいレンズ用の撮像補助情報を受信し（Ｓ１０７）し、受信した撮像補助情報をＲＡＭに保持しＬＣＤ表示部１０７に構図を表示し、カメラのシャッタースピードや感度等の各種設定を自動で行う（Ｓ１０８）。これにより交換式レンズを交換した際に、撮像補助情報を自動でサーバーから取得し、カメラの各種設定を自動でおこなうことが可能となる。
【００４２】
なお、ここでは撮像補助情報を一意的に割り振られる実施例を示したが、サーバー４００が参照されるべきと考えられる複数の撮像補助情報をユーザーに提示し、ユーザーがその中から選択するとしてもよい。
【００４３】
（実施例２）
以下、図５、図６を参照して、本発明の第２の実施例による、撮像装置と交換式レンズで構成された撮像システムについて説明する。図５は本実施例を構成するシステム構成図である。ここでは実施例１で示した図２のシステム構成図との差異だけを説明する。
【００４４】
交換式レンズ５００は、撮像補助情報記録用ＥＥＰＲＯＭ５０６を備えている。撮像補助情報記録用ＥＥＰＲＯＭ５０６は、デジタルカメラ１００が保持する撮像補助情報を記録するための書き換え可能なフラッシュメモリであり、通信ＩＦ（スレーブ側）５０３を介して送られてくる撮像補助情報を記録する。さらに撮像補助情報記録用ＥＥＰＲＯＭ５０６は、撮像補助情報をサーバー４００から受信した際にサーバー４００へ送信したセンサー情報とカメラの仕様情報や型番情報も記録する。
【００４５】
図６はデジタルカメラ１００とデジタルカメラ１００に接続した交換式レンズ５００の制御フローである。サーバー４００の制御フローは図４（ｂ）と同じで、デジタルカメラ１００から受けたカメラパラメータをもとに撮像補助情報を検索、送信する際の制御フロー図である。
【００４６】
ＣＰＵ１０９は、サーバー４００から既に受信している撮像補助情報をＲＡＭに保持し、図３に示すような撮像補助情報をＬＣＤ表示部１０７に表示する（Ｓ３０１）。ＣＰＵ１０９はさらに、Ｓ３０１で保持している撮像補助情報と、ＧＰＳ情報や方位情報等のセンサー情報、そしてカメラ仕様情報や型番情報を交換式レンズ５００が備える撮像補助情報記録用ＥＥＰＲＯＭ５０６へ保存しつつ、ＲＡＭにも保持し続ける（Ｓ３０２）。ＣＰＵ１０９は、交換式レンズの交換検知を行い続け、取り外しを検知したら交換が終了するまで待つ（Ｓ３０３）。
【００４７】
ユーザーによるレンズ交換が終了後、ＣＰＵ１０９は装着された交換式レンズ５００のレンズ情報をレンズ情報記録用ＲＯＭ５０２から読出す（Ｓ３０４）。さらにＣＰＵ１０９は装着された交換式レンズ５００の撮像補助情報記録用ＥＥＰＲＯＭ５０６からレンズ取り外し時に保存したセンサー情報とカメラ仕様情報や型番情報を読み出す（Ｓ３０５）。
【００４８】
次にＣＰＵ１０９は、デジタルカメラ１００の備える各種センサーから各種情報を取得する（Ｓ３０６）。ＣＰＵ１０９は、Ｓ３０４の交換式レンズ情報、Ｓ３０５のカメラ仕様情報や型番情報、Ｓ３０６のセンサー情報と、レンズ交換前までにＲＡＭに保持していたセンサー情報とカメラ仕様情報や型番情報、交換式レンズ情報を比較する。比較した結果が同じ場合は、撮像補助情報記録用ＥＥＰＲＯＭ５０６より撮像補助情報を読出す（Ｓ３０７）。
【００４９】
比較結果が異なる場合は、Ｓ３０６で取得したセンサー情報とカメラ仕様情報や型番情報、交換式レンズ情報をもとにサーバー４００から撮像補助情報を受信する（Ｓ３０８）。サーバー４００のシーケンスは図４（ｂ）で説明したシーケンスと同じであるのでここでは説明を省略する。
【００５０】
撮像補助情報を取得後ＣＰＵ１０９は、撮像補助情報をＲＡＭに保存しさらにＬＣＤ１０７に表示し、カメラの各種設定を自動で行う（Ｓ３０９）。これにより、交換式レンズを取り替えた際に、再度同じ交換式レンズを時間を置かずに装着させた場合はサーバー４０へアクセスせず、交換式レンズに退避させておいた撮像補助情報を再利用することが可能となる。
【００５１】
以上、本発明の好ましい実施形態について説明したが、本発明はこれらの実施形態に限定されず、その要旨の範囲内で種々の変形及び変更が可能である。例えば、カメラアクセサリーとしてマクロレンズを装着した場合は、交換式レンズ情報にマクロレンズ情報が付与され、サーバーはその情報をもとに撮像補助情報を検索しデジタルカメラに送信する。
【００５２】
また、カメラアクセサリーとしてストロボが装着された場合は、ストロボが装着されたことがカメラパラメータとしてサーバーに送信され、ストロボ撮影に適した撮影補助情報がデジタルカメラに送信される。
【符号の説明】
【００５３】
１００  デジタルカメラ、１０１  ＣＭＯＳセンサー、１０２  操作パネル、
１０３  無線ＬＡＮ、１０４  ＧＰＳセンサー、１０５  電子コンパス、
１０６  撮像レンズ装着部（通信ＩＦ付き）、１０７  ＬＣＤ表示部、
１０８  内部バス、１０９  ＣＰＵ、１１０  ジャイロセンサー、
１１１  距離テーブル、１１２  ＥＥＰＲＯＭ、１１３  外付けメモリＩＦ、
２００  無線ＬＡＮアクセスポイント、３００  ＧＰＳ衛星、４００  サーバー、
５００  交換式レンズ、５０１  レンズ群、５０２  レンズ情報記録用ＲＯＭ、
５０３  通信ＩＦ（スレーブ側）、５０４  内部バス、５０５  マイクロＣＰＵ、
５０６  撮像補助情報記録用ＥＥＰＲＯＭ
【図６】
2016025482.tif 000003
【図１】
2016025482.tif 000004
【図２】
2016025482.tif 000005
【図３】
2016025482.tif 000006
【図４】
2016025482.tif 000007
【図５】
2016025482.tif 000008
【図７】
2016025482.tif 000009